(57)【要約】【課題】電子レンジによる加熱調理後において、内容物の温度低下を抑制しつつ容易に開封することができる電子レンジ用包装体及び包装袋を提供する。【解決手段】包装袋１に内容物が収容され、電子レンジによる加熱時に上昇する内圧を外部に逃がす圧力排出部４が形成された電子レンジ用包装体であって、加熱によって膨らんだ袋形状を保持するための合成樹脂製の保形用部材７が設けられている。背貼り部３に圧力排出部４が設けられ、背貼り部３近傍位置に保形用部材７が設けられている。【選択図】図１
2010083507.tif 000002
【特許請求の範囲】
【請求項１】
包装袋に内容物が収容され、電子レンジによる加熱時に上昇する内圧を外部に逃がす圧力排出部が形成された電子レンジ用包装体であって、加熱によって膨らんだ袋形状を保持するための合成樹脂製の保形用部材が設けられていることを特徴とする電子レンジ用包装体。
【請求項２】
包装袋を構成するプラスチックフィルムの内面同士が重ね合わせられて袋本体から突出するように背貼り部が形成され、該背貼り部に前記圧力排出部が形成され、袋本体の背貼り部近傍位置に前記保形用部材が設けられている請求項１記載の電子レンジ用包装体。
【請求項３】
前記保形用部材が背貼り部に沿って袋本体の一端から他端まで設けられている請求項２記載の電子レンジ用包装体。
【請求項４】
開封時に包装袋を切断するための開封用切断部が設けられ、開封後に内容物が収容されている側の包装袋の部分に前記保形用部材が設けられている請求項１乃至３の何れかに記載の電子レンジ用包装体。
【請求項５】
保形用部材としてテープ状の延伸ポリエチレンシートが包装袋の外面に貼着されている請求項１乃至４の何れかに記載の電子レンジ用包装体。
【請求項６】
電子レンジによる加熱時に上昇する内圧を外部に逃がす圧力排出部が形成され、加熱によって膨らんだ袋形状を保持するための合成樹脂製の保形用部材が設けられていることを特徴とする電子レンジ用包装袋。
【発明の詳細な説明】
【技術分野】
【０００１】
本発明は、収容された内容物を包装状態で電子レンジにて加熱するための電子レンジ用包装体及びその包装袋に関するものである。
【背景技術】
【０００２】
この種の電子レンジ用包装体は、包装袋に収容された食品等の内容物を包装袋から取り出すことなく包装状態のままで電子レンジで加熱調理するように構成されている。即ち、電子レンジで加熱していくと内圧上昇によって包装袋が大きく膨らむので、加熱による内圧上昇に伴って自動的に圧力を外部に逃がすための構成が種々採用されている。該構成によって加熱中に内圧上昇で包装袋が大きく膨らんでも内圧を適度に外部に逃がすことができて過度の内圧上昇が防止され、包装袋が破裂することなく内容物を加熱調理することができる。そして、加熱調理後、包装袋はしぼんでいって膨らんでいない元の状態に戻り、その包装袋を開封して内容物を皿等に取り出す。
【特許文献１】特開２００１−１０６２７０号公報
【発明の開示】
【発明が解決しようとする課題】
【０００３】
しかしながら、上記従来の電子レンジ用包装体にあっては、加熱調理後にしぼんだ包装袋を開封する際、内容物が加熱により高温になっているために包装袋に触れると熱く、従って、手で開封することが容易ではない。一方、包装袋の温度が低下するまで時間をおいて開封すると、手で開封しやすいものの、折角加熱した内容物が冷める可能性がある。
【０００４】
そこで本発明は上記従来の問題点に鑑みてなされ、電子レンジによる加熱調理後において、内容物の温度低下を抑制しつつ容易に開封することができる電子レンジ用包装体及び包装袋を提供することを課題とする。
【課題を解決するための手段】
【０００５】
本発明は上記課題を解決すべくなされたものであって、本発明に係る電子レンジ用包装体は、包装袋に内容物が収容され、電子レンジによる加熱時に上昇する内圧を外部に逃がす圧力排出部が形成された電子レンジ用包装体であって、加熱によって膨らんだ袋形状を保持するための合成樹脂製の保形用部材が設けられていることを特徴とする。
【０００６】
該構成の電子レンジ用包装体にあっては、電子レンジによる加熱調理によって内圧が上昇すると共に包装袋が膨らむが、上昇する内圧が圧力排出部によって外部に逃げるので包装袋の破裂が防止される。そして、加熱調理後に内圧上昇が停止すると、内部に充満した水蒸気が冷やされて水滴になるために包装袋の内部が負圧になり、膨らんだ包装袋はしぼもうとするが、合成樹脂製の保形用部材によって膨らんだ袋形状が保持される。そのため、包装袋と内容物との間の空間に圧力排出部を介して外部から空気が流入する。該流入空気によって包装袋が一気に冷やされてその温度が低下する一方、内容物は、その表面のみが流入空気によって瞬間的には冷まされるものの、その後は、流入空気が断熱層として機能して内容物を保温する。また、包装袋と高温の内容物との間に空気層が存在しているので、開封時に包装袋に触れても内容物の温度が手に伝わりにくい。
【０００７】
特に、包装袋を構成するプラスチックフィルムの内面同士が重ね合わせられて袋本体から突出するように背貼り部が形成され、該背貼り部に前記圧力排出部が形成され、袋本体の背貼り部近傍位置に前記保形用部材が設けられていることが好ましい。圧力排出部が背貼り部に形成されている場合には、その背貼り部に加熱膨張時の内圧が他の部分と比べて大きく作用する。即ち、背貼り部近傍位置において包装袋が大きく膨張することになるから、背貼り部近傍位置における袋本体に保形用部材を設けることにより、大きく膨らんだ袋形状を良好に保形できる。
【０００８】
更に、前記保形用部材が背貼り部に沿って袋本体の一端から他端まで設けられていることが好ましい。背貼り部に沿って保形用部材を設けることにより、背貼り部に沿って外側凸に膨らんだ袋形状を保形用部材で確実に保形できる。しかも、保形用部材を袋本体の一端から他端まで設けることにより、包装袋の製造時に背貼り部に沿って保形用部材を連続して設けていくことが可能となるので、包装袋の製造工程が容易になる。
【０００９】
また、開封時に包装袋を切断するための開封用切断部が設けられ、開封後に内容物が収容されている側の包装袋の部分に前記保形用部材が設けられていることが好ましい。該構成の場合には、開封用切断部によって容易に包装袋を開封することができるが、その開封後において、内容物が収容されている側の包装袋の部分が保形用部材で外側凸の形状に保形されるので、保形された包装袋から皿等に内容物をスムーズに取り出すことができる。
【００１０】
また、保形用部材としてテープ状の延伸ポリエチレンシートが包装袋の外面に貼着されていることが好ましい。保形用部材がテープ状の延伸ポリエチレンシートであるので、包装袋の外面との密着性が良好であり、面でしっかりと包装袋を保形することができる。しかも、延伸ポリエチレンシートであるので、包装袋への内容物の充填時あるいは加熱調理時において包装袋の膨出変形を妨げずにその変形にスムーズに追従し、加熱調理後は包装袋の膨出形状を確実に保形する。
【００１１】
また本発明に係る電子レンジ用包装袋は、電子レンジによる加熱時に上昇する内圧を外部に逃がす圧力排出部が形成され、加熱によって膨らんだ袋形状を保持するための合成樹脂製の保形用部材が設けられていることを特徴とする。
【発明の効果】
【００１２】
以上のように、本発明に係る電子レンジ用包装体及び包装袋にあっては、合成樹脂製の保形用部材によって加熱時に膨らんだ包装袋の形状が保持されるので、加熱後に包装袋と内容物との間に空気が流入してそれによって包装袋が冷まされる。しかも、包装袋と高温の内容物との間に空気層が形成されるので内容物の温度が手に伝わりにくくなる。従って、加熱後に包装袋を手で容易に開封することができる。また、保形用部材が金属製ではなく合成樹脂製であるので、内容物として食品を収容する包装体及び包装袋に適している。
【発明を実施するための最良の形態】
【００１３】
以下、本発明の一実施形態にかかる電子レンジ用包装体とその包装袋について図１乃至図４を参酌しつつ説明する。図１に示す本実施形態に係る電子レンジ用包装体は、プラスチックフィルムから矩形状に形成された包装袋１に食品等の内容物Ｐが収容されたもので、この包装状態のまま電子レンジに入れて加熱調理できるものである。プラスチックフィルムは、例えば、二軸延伸ポリエステル、二軸延伸ポリアミド等のプラスチックフィルムを基材とし、最内層にポリエチレンやポリプロピレン等のシーラント層を積層したものが使用される。尚、食品としては調理済みあるいは半調理済みのものが収容され、包装体の大きさや形状、容量は種々あるが、例えば中華丼であれば１５０ｇ〜２５０ｇ収容されるような大きさのものを一例として挙げることができる。本実施形態では包装袋１は長方形であり、便宜上、長辺方向を縦方向（図１において矢印Ｘの方向）と、短辺方向を横方向（図１において矢印Ｙの方向）と呼ぶこととする。
【００１４】
かかる包装袋１は、内容物Ｐが収容される袋本体２と、プラスチックフィルムの内面同士が重ね合わせられて接着された背貼り部３とを有している。該背貼り部３は、包装袋１の横方向の一端から他端まで形成されており、本実施形態では、プラスチックフィルムの端部同士が合掌状に重ね合わせられて袋本体２の上面から突出するように形成されている。具体的には、図２にも示しているように、包装袋１は、二枚のプラスチックフィルムから構成され、両プラスチックフィルムの縦方向の両端部同士がそれぞれヒートシールされている。両プラスチックフィルムの縦方向の一端部同士がヒートシールされて背貼り部３が形成され、同じく縦方向の他端部同士がヒートシールされて包装袋１の縦方向の一方の端部１ａが形成されている。従って、包装袋１の縦方向の他方の端部１ｂは、下側のプラスチックフィルムの折り返し部分となっており、本実施形態ではその部分はヒートシールされていない。そして、包装袋１の横方向の両端部１ｃ、１ｄは共にヒートシールされているので、包装袋１はその三辺がヒートシールされ、残る一辺のみヒートシールされないで折り返された箇所となっている。尚、包装袋１の縦方向の一方の端部１ａは内容物Ｐの充填口であり、内容物Ｐの充填後にヒートシールされている。尚、図１においてハッチングを施している箇所はヒートシールにより接着された部分である。
【００１５】
また、背貼り部３は、袋本体２の上面の縦方向中央部から他方の端部１ｂ側に偏った位置に形成されている。更に、背貼り部３は、図２のように折り癖がつけられていて通常時は袋本体２の上面に沿うように傾倒した状態にあるが、加熱調理時には起立する。該背貼り部３は、折り癖によって包装袋１の他方の端部１ｂ側に傾倒している。
【００１６】
そして、この背貼り部３には、加熱調理時に包装袋１内の圧力が上昇したとき、それを外部に逃がす圧力排出部４が形成されている。圧力排出部４の構成は種々のものを採用可能であるが、本実施形態においては、易開封性シール部から構成されている。具体的には、背貼り部３のシール部を易開封性シール部とし、その特定部位に内圧が集中するようにしてその部位を圧力排出部４として構成している。より詳細には、図１のように、背貼り部３の略中央部の先端側に非シール部５を設けることにより、背貼り部３における易開封性シール部の幅が略中央部において最も狭くなるようにして、そこが加熱調理時に自動的に剥離して外部と連通する蒸気排出路が形成されるようにしている。図１では、非シール部５を半円状に形成しているが、三角状や四角状等としてもよく、また、非シール部５に代えて切欠部を設けてもよい。
【００１７】
尚、易開封性シール部の構成としては、プラスチックフィルムの内面のシーラント層を部分的にイージーピールシーラント層としたり、プラスチックフィルムの内面に別途イージーピールシーラントフィルムを挿入したりする。その剥離強度は、１５０〜１８００ｇ／１５ｍｍ程度で、包装袋１の三辺におけるシール部の剥離強度に対してその２０〜８０％程度の強さが適当である。尚、この剥離強度は、食品衛生法に基づく密封包装袋１の試験方法・Ｚ０２３８に従い、引張速度３００ｍｍ／ｍｉｎで測定される値である。尚、イージーピールシーラントフィルムを使用する場合、プラスチックフィルムの内面のシーラント層と同種の樹脂に別の樹脂や無機微粉末を混合して、そのシーラント層との熱融着性を低下させた材質等が使用される。
【００１８】
また、包装袋１の横方向の両端部１ｃ、１ｄには開封時に包装袋１を切断するためのノッチ６（開封用切断部）が互いに対向するように形成されている。該ノッチ６は、具体的には、背貼り部３の根元付近、より詳細には、背貼り部３の根元付近であって背貼り部３が傾倒している側とは反対側に設けられている。
【００１９】
更に、電子レンジによる加熱時に包装袋１が膨らんだ際に、その包装袋１の外側凸の袋形状を保持するために合成樹脂製の保形用部材が設けられている。本実施形態では、保形用部材としてテープ状の延伸ポリエチレンシート７が使用され、包装袋１の上面１０（即ち背貼り部３と同じ面）の外面にテープ状の延伸ポリエチレンシート７が貼着されている。貼着箇所は種々あるが、図１に示すように、背貼り部３の近傍位置における袋本体２に背貼り部３と平行に貼着されて包装袋１の横方向の一端から他端まで貼着されている。また、テープ状の延伸ポリエチレンシート７は、背貼り部３が傾倒している方向とは反対側に位置しており、上述したノッチ６は、背貼り部３とテープ状の延伸ポリエチレンシート７との間に位置している。
【００２０】
テープ状の延伸ポリエチレンシート７としては、例えば、積水成型工業（株）製のフォルテ（登録商標）や、三井化学（株）製のテクノロート（登録商標）等を使用できる。テープ状の延伸ポリエチレンシート７の厚さや幅は包装体の大きさや容量、内容物Ｐの種類等によって種々設定するが、例えば、厚さは０．２〜０．７ｍｍ、幅は５〜１０ｍｍ程度が好適である。例えば、延伸ポリエチレンシート７として積水成型工業（株）製のフォルテ（登録商標）を使用し、内容物Ｐとして１００ｃｃの水を包装袋１に入れて電子レンジで６００Ｗで４分加熱する実験を行ったところ、厚さ０．４ｍｍで幅が６ｍｍのもの、厚さ０．４ｍｍで幅が８ｍｍのもの、厚さ０．６ｍｍで幅が６ｍｍのもの、厚さ０．６ｍｍで幅が８ｍｍのものにおいて、加熱時の蒸気発生の具合とその後の保形性の観点で良好な結果が得られた。延伸ポリエチレンシート７の厚さが０．８ｍｍになると剛性が大きくなって包装袋１が膨出しにくくなり、幅が４ｍｍになると剛性が小さくなって保形しにくくなる傾向にある。
【００２１】
尚、包装体及び包装袋１の製法としては、例えば、図１に二点鎖線で示すように、長尺状の二枚のプラスチックフィルムを重ね合わせつつ図示しない長手方向シールバーによって背貼り部３を連続的に形成して矢印Ｙの方向に伸びる長尺体を形成する。かかる長尺体の形成工程において、矢印Ｙの方向即ち背貼り部３の形成方向に沿って、テープ状の延伸ポリエチレンシート７を連続的に貼着していく。そして、その長尺体を横断するように矢印Ｙの方向に図示しない短手方向シールバーでヒートシールして包装袋１の連続体を形成し、包装袋１の充填口から内容物Ｐを充填した後に、その充填口を長手方向シールバーでヒートシールして密封して包装体の連続体を形成する。更に、該連続体をカットして個々の包装体を形成する。尚、内容物Ｐの充填前にカットして個々の包装袋１を形成し、枚葉タイプの包装袋１に内容物Ｐを充填するようにすることもできる。何れにしても、テープ状の延伸ポリエチレンシート７を背貼り部３に沿って貼着することで包装袋１の製造工程において容易にテープ状の延伸ポリエチレンシート７を包装袋１に貼着させることができる。
【００２２】
以上のように構成された電子レンジ用包装体にあっては、背貼り部３が上を向くようにして電子レンジに入れて包装状態のまま加熱するが、加熱により包装袋１の内圧が上昇するとそれに伴って包装袋１の上面１０及び下面１１は図３（ａ）のように外側凸に湾曲して膨出する。そして、内圧が一定以上に達すると背貼り部３の圧力排出部４から蒸気が外部に排出されて内圧が調整され、破裂することなく加熱調理が終わる。加熱調理が終わると圧力排出部４からの蒸気排出も停止し、包装袋１はしぼんでいくが、包装袋１の上面１０にはテープ状の延伸ポリエチレンシート７が貼着されていてそれが包装袋１の上面１０の膨出形状を保形する。従って、図３（ｂ）のように、包装袋１の下面１１はフラットな状態に戻る一方、包装袋１の上面１０は上側凸に湾曲した膨出形状に保たれる。そのため、加熱調理後において包装袋１の内部が負圧になると、圧力排出部４を介して外気が包装袋１内に流入し、その流入空気Ｑは図３（ｂ）のように内容物Ｐと包装袋１の上面１０との間に介在することとなる。
【００２３】
このように加熱調理後に外気が包装袋１内に流入することによって包装袋１、特にその上面１０や背貼り部３が瞬間的に冷まされることとなる。また流入空気Ｑの存在によって内容物Ｐの熱が包装袋１に伝達されにくくなる。従って、加熱調理後に包装袋１を持ってノッチ６から開封する際に、容易に手で開封することができる。尚、加熱調理後に時間をおいて開封する場合、流入空気Ｑが断熱層として機能するので内容物Ｐの温度低下が抑制される。
【００２４】
また、図１に示すように、ノッチ６は背貼り部３とテープ状の延伸ポリエチレンシート７の間に位置しているので、ノッチ６を起点として開封する際、他の部分に比して厚みがあって剛性の高い部分である背貼り部３とテープ状の延伸ポリエチレンシート７の貼着部分とを把持して開封することができ、ノッチ６から容易に開封できる。しかも、ノッチ６が背貼り部３とテープ状の延伸ポリエチレンシート７の間に位置しているので、背貼り部３とテープ状の延伸ポリエチレンシート７が開封の際のガイドとなり、包装袋１が斜めに切れることなく真っ直ぐに開封することができる。尚、背貼り部３及びテープ状の延伸ポリエチレンシート７の貼着箇所は、他の部分よりも厚くて持ちやすいうえに、流入空気Ｑによって最も効率良く冷まされる箇所でもあるので、それらを把持することによって容易に開封することができるのである。
【００２５】
そして開封すると、テープ状の延伸ポリエチレンシート７が内容物Ｐが収容されている側の包装袋１の部分に残っているので、例えば、図４に示すようにテープ状の延伸ポリエチレンシート７が下側になるようにすれば、包装袋１が横方向に下側凸の椀状になるので内容物Ｐを横方向の中央部分に集めやすくなり、内容物Ｐを皿等にスムーズに取り出すことができる。その際、例えば、包装袋１の横方向の両端部１ｃ、１ｄにおけるテープ状の延伸ポリエチレンシート７の例えば一方の端部に親指を、他方の端部に人差し指あるいは中指をそれぞれかけるようにして、包装袋１を片手で上側から掴むようにして内容物Ｐを取り出すということもできる。その場合、テープ状の延伸ポリエチレンシート７の両端部は、テープ状の延伸ポリエチレンシート７が貼着されていることによって包装袋１の他の部分よりも厚みが厚くなっていて内容物Ｐの熱が伝わりにくくなっているから、そこに触れる親指や人差し指等が熱くなく、容易に内容物Ｐの取り出し作業を行うことができる。しかも、下側凸に湾曲したテープ状の延伸ポリエチレンシート７を親指と人差し指等とで掴んでその曲率を自在に調節でき、且つ、調節した状態がテープ状の延伸ポリエチレンシート７で維持されるので、例えば内容物Ｐが残り少ない状態になればテープ状の延伸ポリエチレンシート７を更に湾曲させて内容物Ｐを更に中央に集めて取り出すということも容易にできる。
【００２６】
また、テープ状の延伸ポリエチレンシート７が開封によって形成された取り出し口の近傍に位置しているので、取り出し口が大きく開口して内容物Ｐを容易に取り出すことができる。更に、ノッチ６から開封することで背貼り部３が切り離され、内容物Ｐが収容されている側の包装袋１の部分には背貼り部３が存在しないので、包装袋１の上面１０を下向きにしても内容物Ｐを取り出す際に背貼り部３の圧力排出部４から内容物Ｐが漏れる恐れがない。
【００２７】
尚、本実施形態では背貼り部３が形成された包装袋１の上面１０にテープ状の延伸ポリエチレンシート７が貼着されていたが、図５のように下面１１にもテープ状の延伸ポリエチレンシート７を貼着してもよい。テープ状の延伸ポリエチレンシート７を下面１１の任意の位置に貼着できるが、図５の場合では、上面１０のテープ状の延伸ポリエチレンシート７に対向した位置に貼着している。そして、このように上面１０と下面１１の双方にテープ状の延伸ポリエチレンシート７を貼着した包装体を電子レンジで加熱すると、図６のようにその上面１０と下面１１の何れもがそれぞれのテープ状の延伸ポリエチレンシート７によって保形される。
【００２８】
また、図７のように、包装袋１の下面１１のみにテープ状の延伸ポリエチレンシート７を貼着してもよい。
【００２９】
更に、図８及び図９のように、包装袋１の上面１０に背貼り部３と平行にテープ状の延伸ポリエチレンシート７を互いに間隔をあけて複数本、具体的には二本貼着してもよい。テープ状の延伸ポリエチレンシート７を二本貼着する場合には、一方は図１のように背貼り部３の近傍に位置させ、他方は背貼り部３とは反対側に偏心した位置に位置させることが好ましい。無論、上面１０ではなく下面１１にテープ状の延伸ポリエチレンシート７を複数本貼着させたり、あるいは、上面１０に一本、下面１１に二本貼着したり、上面１０と下面１１それぞれに二本ずつ貼着したりすることもでき、テープ状の延伸ポリエチレンシート７の貼着位置及びその本数は適宜設計変更可能である。
【００３０】
尚、図１ではテープ状の延伸ポリエチレンシート７を背貼り部３が傾倒している側とは反対側に貼着したが、逆に背貼り部３が傾倒している側にテープ状の延伸ポリエチレンシート７を貼着してもよい。その場合、傾倒している背貼り部３と袋本体２との間にテープ状の延伸ポリエチレンシート７を位置させると、テープ状の延伸ポリエチレンシート７を背貼り部３の近傍に位置させることができる。何れにしても、テープ状の延伸ポリエチレンシート７を背貼り部３の近傍に貼着することにより効率よく保形することができる。
【００３１】
また更に、包装袋１の形態も種々変更可能であって、例えば図１０のように、縦方向の両端部１ａ、１ｂを共にヒートシールしたものであってもよく、ノッチ６の位置も背貼り部３が傾倒している側に位置させるなどしてもよい。
【００３２】
尚、テープ状の延伸ポリエチレンシート７を包装袋１の一端から他端まで貼着したが、全長（全幅）に亘って貼着しなくてもよい。例えば包装袋１の全長や全幅に対して２／３程度の長さに貼着してもよい。
【００３３】
また、テープ状の延伸ポリエチレンシート７を背貼り部３に沿って貼着したが、背貼り部３と直交する方向に沿って貼着したり、斜め方向に貼着したりしてもよく、あるいは、複数本貼着する場合には種々の方向を組み合わせてもよい。
【００３４】
更に、保形用部材としてテープ状の延伸ポリエチレンシート７を使用したが、線状の延伸ポリエチレンシートを使用したり、あるいは、図柄等にあわせてカットされた所定形状の延伸ポリエチレンシートを使用してもよく、その形は場所と共に任意である。また、延伸ポリエチレンシートに限られず合成樹脂製のものであれば内容物Ｐとして食品を収容するものに適する。
【図面の簡単な説明】
【００３５】
【図１】本発明の一実施形態における電子レンジ用包装体を示す正面図。
【図２】図１のＡ−Ａ断面図。
【図３】同実施形態における電子レンジ用包装体を示す図１のＢ−Ｂ断面図であって、（ａ）は加熱調理時の状態を示し、（ｂ）は加熱調理後における状態を示す。
【図４】同実施形態における電子レンジ用包装体の開封後の状態を開封部分から見た図。
【図５】他の実施形態における電子レンジ用包装体を示す図２に対応した断面図。
【図６】同実施形態における電子レンジ用包装体の加熱調理後の状態を示す図３（ｂ）に対応した断面図。
【図７】他の実施形態における電子レンジ用包装体を示す図２に対応した断面図。
【図８】他の実施形態における電子レンジ用包装体を示す正面図。
【図９】同実施形態における電子レンジ用包装体を示す図２に対応した断面図。
【図１０】他の実施形態における電子レンジ用包装体を示す正面図。
【符号の説明】
【００３６】
１    包装袋
２    袋本体
３    背貼り部
４    圧力排出部
５    非シール部
６    ノッチ（開封用切断部）
７    延伸ポリエチレンシート（保形用部材）
１０    上面
１１    下面
Ｐ    内容物
Ｑ    流入空気
【図１】
2010083507.tif 000003
【図２】
2010083507.tif 000004
【図３】
2010083507.tif 000005
【図４】
2010083507.tif 000006
【図５】
2010083507.tif 000007
【図６】
2010083507.tif 000008
【図７】
2010083507.tif 000009
【図８】
2010083507.tif 000010
【図９】
2010083507.tif 000011
【図１０】
2010083507.tif 000012